(57)【要約】  【課題】  使用済みの磁気テープカセットに対して、カセットを分解することなく、データを消去すると共にテープとカセットとを短時間で分別することができる磁気テープ分別装置を提供する。  【解決手段】  カセットを保持するカセットホルダ４８と、カセットホルダ４８に保持されたカセット内から磁気テープを引き出して、磁気テープの巻取りを行なう巻取り部５６と、巻取り部５６によって引き出された磁気テープの記録を消去する消去部５２と、巻取り部５６を、カセット内の磁気テープをつかむ位置と、カセット２０１から引き出した磁気テープ２０６を巻取る位置とに、上下に移動させる巻取りリール上下移動機構と、カセットホルダを、処理前の磁気テープカセットを受け取る位置と、分別したカセットを排出する位置と、カセットからの磁気テープの引き出し・巻取りを行なう位置とに、前後に移動させるホルダ前後移動機構と、を備える。【選択図】  図１
2006068707.tif 000002
【特許請求の範囲】
【請求項１】
磁気テープカセットのカセットと該カセット内でリールに巻き取られている磁気テープとを分別する磁気テープ分別装置であって、
カセットを保持するカセットホルダと、
カセットホルダに保持されたカセット内から磁気テープを引き出して、磁気テープの巻取りを行なう巻取り部と、
巻取り部によって引き出された磁気テープの記録を消去する消去部と、
巻取り部を、カセット内の磁気テープをつかむ位置と、カセットから引き出された磁気テープを巻取る位置とに、上下に移動させる巻取りリール上下移動機構と、
カセットホルダを、処理前の磁気テープカセットを受け取りまたは分別したカセットを排出する位置と、カセットからの磁気テープの引き出し・巻取りを行なう位置とに、前後に移動させるホルダ前後移動機構と、
を備えることを特徴とする磁気テープ分別装置。
【請求項２】
前記巻取り部は、前記カセット内の全てのリールに巻き取られている磁気テープを同時に巻取ることを特徴とする請求項１記載の磁気テープ分別装置。
【請求項３】
前記巻取り部で巻取り中の磁気テープに所定以上の張力が作用したときに、前記磁気テープの切断を行なうカッターをさらに備えることを特徴とする請求項１または２記載の磁気テープ分別装置。
【請求項４】
前記カッターの切断動作を不能にするように切り替える切替手段をさらに備えることを特徴とする請求項３記載の磁気テープ分別装置。
【請求項５】
前記巻取り部は、磁気テープがその外周面に巻き取られる巻取り・解除シャフトを有しており、該巻取り・解除シャフトは、縮径可能であり、前記巻取りが終了した後に縮径して、その外周側に巻き取られた磁気テープを解放することを特徴とする請求項１ないし４のいずれか１項に記載の磁気テープ分別装置。
【請求項６】
前記巻取り部は、さらに、巻取り・解除シャフトの外周側かつ後方側に配設された解除ホルダと、巻取り・解除シャフトの内周側に配設されて巻取り・解除シャフトを拡径状態に支持するロックピンと、を有しており、
さらに、解除ホルダとロックピンとを前進させる巻取りリールリリース機構をさらに備え、ロックピンが前進したときに、巻取り・解除シャフトが縮径されることを特徴とする請求項５記載の磁気テープ分別装置。
【請求項７】
前記巻取り部が磁気テープを引き出す前に、カセット内のリール内に進入して該リールに嵌合するプレ巻取りシャフトと、該プレ巻取りシャフトを回転させるプレ巻取りモータと、を有するプレ巻取り部をさらに備えることを特徴とする請求項１ないし６のいずれか１項に記載の磁気テープ分別装置。
【請求項８】
前記プレ巻取り部は、プレ巻取りモータの出力軸に連結される駆動ギヤと、駆動ギヤと噛み合いプレ巻取りシャフトに連結される従動ギヤと、を有しており、
該プレ巻取り部は、常時、カセットホルダによって保持されたカセットの方向へと付勢されており、
カセットホルダがカセットからの磁気テープの引き出し・巻取りを行なう位置にあるときに、駆動ギヤと従動ギヤとの噛み合いが外れることを特徴とする請求項７記載の磁気テープ分別装置。
【請求項９】
前記ホルダ前後移動機構が、カセットホルダを、処理前の磁気テープカセットを受け取る位置から、カセットからの磁気テープの引き出し・巻取りを行なう位置へと移動させる間に、カセットホルダに保持されたカセットの蓋を開放することを特徴とする請求項１ないし８のいずれか１項に記載の磁気テープ分別装置。
【発明の詳細な説明】
【技術分野】
【０００１】
本発明は、使用済み磁気テープカセットの処分を行う際に、磁気テープとカセットとを分別して、その後の廃棄またはリサイクル処理を簡単にすることができるようにする磁気テープ分別装置に関する。
【背景技術】
【０００２】
従来、磁気テープカセットが使用済みになると、カセットを分解してテープ部分とカセット部分とを手作業で切り離す作業を行っており、その作業が大変であり時間がかかるという問題があった。
【０００３】
また、磁気テープを巻き込む装置を応用し、磁気テープの走行を反対にして、引き出す装置もあったが、高価であるという問題があった。
【０００４】
また、磁気テープに記録されたデータは、セキュリティ、著作権等の観点から消去することが望まれており、その消去作業が大変であるという問題があった。
【発明の開示】
【発明が解決しようとする課題】
【０００５】
本発明は、かかる課題に鑑みなされたもので、カセットを分解することなく、データを消去すると共にテープとカセットとを短時間で分別することができる磁気テープ分別装置を提供することである。
【課題を解決するための手段】
【０００６】
前述した目的を達成するために、請求項１記載の発明は、磁気テープカセットのカセットと該カセット内でリールに巻き取られている磁気テープとを分別する磁気テープ分別装置であって、カセットを保持するカセットホルダと、カセットホルダに保持されたカセット内から磁気テープを引き出して、磁気テープの巻取りを行なう巻取り部と、巻取り部によって引き出された磁気テープの記録を消去する消去部と、巻取り部を、カセット内の磁気テープをつかむ位置と、カセットから引き出された磁気テープを巻取る位置とに、上下に移動させる巻取りリール上下移動機構と、カセットホルダを、処理前の磁気テープカセットを受け取りまたは分別したカセットを排出する位置と、カセットからの磁気テープの引き出し・巻取りを行なう位置とに、前後に移動させるホルダ前後移動機構と、を備えることを特徴とする。
【０００７】
請求項２記載の発明は、請求項１記載の前記巻取り部が、前記カセット内の全てのリールに巻き取られている磁気テープを同時に巻取ることを特徴とする。
【０００８】
請求項３記載の発明は、請求項１または２記載のものにおいて、前記巻取り部で巻取り中の磁気テープに所定以上の張力が作用したときに、前記磁気テープの切断を行なうカッターをさらに備えることを特徴とする。
【０００９】
請求項４記載の発明は、請求項３記載のものにおいて、前記カッターの切断動作を不能にするように切り替える切替手段をさらに備えることを特徴とする。
【００１０】
請求項５記載の発明は、請求項１ないし４のいずれか１項に記載の前記巻取り部が、磁気テープがその外周面に巻き取られる巻取り・解除シャフトを有しており、該巻取り・解除シャフトは、縮径可能であり、前記巻取りが終了した後に縮径して、その外周側に巻き取られた磁気テープを解放することを特徴とする。
【００１１】
請求項６記載の発明は、請求項５記載の前記巻取り部が、さらに、巻取り・解除シャフトの外周側かつ後方側に配設された解除ホルダと、巻取り・解除シャフトの内周側に配設されて巻取り・解除シャフトを拡径状態に支持するロックピンと、を有しており、さらに、解除ホルダとロックピンとを前進させる巻取りリールリリース機構をさらに備え、ロックピンが前進したときに、巻取り・解除シャフトが縮径されることを特徴とする。
【００１２】
請求項７記載の発明は、請求項１ないし６のいずれか１項に記載のものにおいて、前記巻取り部が磁気テープを引き出す前に、カセット内のリール内に進入して該リールに嵌合するプレ巻取りシャフトと、該プレ巻取りシャフトを回転させるプレ巻取りモータと、を有するプレ巻取り部をさらに備えることを特徴とする。
【００１３】
請求項８記載の発明は、請求項７記載の前記プレ巻取り部が、プレ巻取りモータの出力軸に連結される駆動ギヤと、駆動ギヤと噛み合いプレ巻取りシャフトに連結される従動ギヤと、を有しており、該プレ巻取り部は、常時、カセットホルダによって保持されたカセットの方向へと付勢されており、カセットホルダがカセットからの磁気テープの引き出し・巻取りを行なう位置にあるときに、駆動ギヤと従動ギヤとの噛み合いが外れることを特徴とする。
【００１４】
請求項９記載の発明は、請求項１ないし８のいずれか１項に記載の前記ホルダ前後移動機構が、カセットホルダを、処理前の磁気テープカセットを受け取る位置から、カセットからの磁気テープの引き出し・巻取りを行なう位置へと移動させる間に、カセットホルダに保持されたカセットの蓋を開放することを特徴とする。
【発明の効果】
【００１５】
本発明によれば、巻取り部が磁気テープをカセット内から引き出し、引き出した磁気テープを巻き取っていくために、磁気テープをカセットと分離することができる。こうして、磁気テープとカセットとを分別してその後の廃棄またはリサイクル処理を簡単に行なうことができるようになる。
【００１６】
巻取りリール上下移動機構が、巻取り部を上下に移動させるために、巻取り部の磁気テープの引き出しを確実に行なうことができる。
【００１７】
また、ホルダ前後移動機構が、カセットホルダを前後に移動させるために、磁気テープカセットの受け取りまたは排出と磁気テープ処理とを確実に行なうことができて、順次自動的に複数の磁気テープカセットの分別処理を行なうことができる。
【００１８】
磁気テープを巻取り部で巻き取ってしまうので、コンパクトに処理することができ、また、巻取る際に、消去部が記録を消去するために、消去処理を迅速に行なうことができる。
【００１９】
請求項２記載の発明によれば、巻取り部が、同時にカセット内の全てのリールに巻き取られていた磁気テープを巻取るために、処理を迅速に行なうことができる。
【００２０】
請求項３記載の発明によれば、カセット内のリールに巻き取られていた磁気テープがすべて巻き解かれた場合に、それ以上に磁気テープを引き出すことができないので、張力が上昇するが、所定以上の張力で作用するカッターが磁気テープを切断することで、巻取りを自動的に終了し、カセットと磁気テープを分離することができる。
【００２１】
請求項４記載の発明によれば、カセット内のリールに巻き取られていた磁気テープがすべて巻き解かれた場合に、所定以上の張力で引っ張ると、磁気テープがリールから自動的に外れるようになっている磁気テープカセットを処理するときには、カッターで磁気テープを切断する必要がなく、巻取りを自動的に終了し、磁気テープとカセットとを分離することができる。磁気テープの最後の部分がリールに残らないので、完全に磁気テープとカセットとを分別することができる。
【００２２】
請求項５記載の発明によれば、巻取り部による磁気テープの巻取りが終了したときに、その磁気テープを外周面に巻き取った巻取り・解除シャフトが縮径することで、巻き取った磁気テープを解放して、自動的に処分することができる。
【００２３】
請求項６記載の発明によれば、巻取りリールリリース機構が、ロックピンと解除ホルダとを前進させることで、解除ホルダが巻取り・解除シャフトに巻き取られた磁気テープを押し出し、さらに、巻取り・解除シャフトが縮径することで、巻き取った磁気テープを解放して、自動的に処分することができる。
【００２４】
請求項７記載の発明によれば、巻取り部が磁気テープを引き出す前に、プレ巻取りシャフトが回転するので、カセット内のリールに巻き取られている磁気テープの弛みを除去した後に巻取り部による磁気テープの引き出しを行なうことができ、巻取り部が確実に磁気テープをつかむことができるようになる。
【００２５】
請求項８記載の発明によれば、プレ巻取り部は、巻取り部が磁気テープを巻取る際には、駆動ギヤと従動ギヤとが分離しているために、カセット内のリールが回転してプレ巻取りシャフトが回転することによるプレ巻取りモータへ負荷を与えることを防ぐことができる。
【００２６】
請求項９記載の発明によれば、ホルダ前後移動機構がカセットホルダを、処理前の磁気テープカセットを受け取る位置から、カセットからの磁気テープの引き出し・巻取りを行なう位置へと移動させる間で、カセットホルダに保持されたカセットの蓋を開放するので、カセットホルダがカセットからの磁気テープの引き出し・巻取りを行なう位置に在るときには、蓋が開いた状態において、磁気テープをカセット内から引き出すことができる。
【発明を実施するための最良の形態】
【００２７】
以下、図面を用いて本発明の実施の形態を説明する。尚、以下の実施形態は本発明を限定するものではない。
【００２８】
図１ないし図１４は、本発明の磁気テープ分別装置の実施形態を表す図である。磁気テープ分別装置１０は、主として、装置上部にあって、処理するべき複数の磁気テープカセットを待機させると共に搬送を行なうコンベアを有するマガジン部１２と、マガジン部１２からの磁気テープカセットが１つずつ落下されて、処理されるメイン処理部１４と、装置下部にあって、カセットと磁気テープとを分別して排出する排出部１６と、図示しない制御部とを備えている。
【００２９】
処理する磁気テープカセット２００は、図１５に示すように、カセット本体２０２とスライド蓋２０３とからなるカセット２０１と、カセット２０１内のリール２０４，２０４に巻き取られた磁気テープ２０６とを有する。スライド蓋２０３は、カセット本体２０２に対して軸着され、カセット本体２０２の開口を開閉可能となっており、内蔵するスプリングによって常時、開口を閉鎖する方向に付勢されている。また、スライド蓋２０３を閉状態に維持するべく、スライド蓋２０３の開方向の移動を阻止するストッパー２０８が側面に設けられており、ストッパー２０８を押圧すると、スライド蓋２０３が開方向に回転可能となる。また、カセット２０１内には通常はリール２０４，２０４の磁気テープ２０６が弛む方向への回転を阻止するための回転阻止機構が内蔵されており、カセット本体２０２の背面にはリール回転阻止機構を解除するためのピンが挿入可能な孔２１０が形成されている。
【００３０】
磁気テープカセット２００は、２つのリールを有するタイプが一般的であるため、２つのリールに適した磁気テープ分別装置１０について説明するが、１つしかリールがないものであっても同様に適用できることは勿論である。
【００３１】
メイン処理部１４は、大別して、マガジン部１２からのカセットの受け取り、保持、排出を行なうカセットホルダ部２２と、カセット内からの磁気テープの引き出し、記録消去、巻取りカセットからの分離を行なうテープ処理部２４と、テープ処理部２４の巻取り部５６の上下移動を行なわせる巻取りリール上下移動機構２６と、カセットホルダ部２２の前後移動を行なわせるホルダ前後移動機構２８と、巻取り部５６に巻き取られる磁気テープの保持を解除させる巻取りリールリリース機構３０と、初期のテープの弛みを解除するプレ巻取り部３２と、を有している。
【００３２】
また、排出部１６は、装置下部にある一対のシュート２０，２０を有している。
【００３３】
以下、メイン処理部１４について、その構成を詳細に説明する。
【００３４】
カセットホルダ部２２は、図５に示すように、装置のフロントパネル４０に固定された左右のカセットガイド４２、４２と、フロントパネル４０に固定されたガイドピン４４、リリースピン４５と、フロントパネル４０に軸支されたシャフト４６と、カセットホルダ４８と、を備えている。
【００３５】
カセットホルダ４８は、図６に示すように、カセット２０１の前後を挟むことができる形状をなしており、その上方及び下方は開放されており、上方のマガジン部１２からの磁気テープカセット２００を円滑に受けることができるように、上部には漏斗状のガイド４８ａが設けられている。さらに、カセットホルダ４８には、前記磁気テープカセット２００のストッパー２０８に対応する位置にリリースプレート４９が取り付けられている。
【００３６】
カセットホルダ４８の背面には、フロントパネル４０を貫通して装置内部へと延びるレール５０が取り付けられており、レール５０は、固定のガイドベース５１によって前後方向に移動可能に案内されると共に、後述のホルダ前後移動機構２８に連結される。こうして、カセットホルダ４８は、フロントパネル４０に対して接離方向に前後移動可能となっている。ガイドピン４４、リリースピン４５、シャフト４６等は、カセットホルダ４８がフロントパネル４０に接近すると、カセットホルダ４８に形成された孔を貫通して、カセットホルダ４８に保持される磁気テープカセット２００に対して作用することができるようになっており、リリースピン４５は、カセット２０１に設けられた孔２１０内に挿入されて、前述のリール回転阻止機構を解除することができ、シャフト４６は、一方のリール２０４内に進入可能となっている。
【００３７】
次に、テープ処理部２４は、図１及び図７Ａ〜７Ｃに示すように、主に、消去部５２と、カッター５４と、下部フロントパネル５７に対して上下移動可能及び自転可能となった巻取り部５６と、を有している。
【００３８】
消去部５２は、図８に示すように、アーム６０と、アーム６０にそれぞれ支持されたガイドローラ６２及びマグネット６４と、アーム６０を付勢するスプリング６６と、を有しており、アーム６０は、ピン６７を支点として下部フロントパネル５７に揺動可能に取り付けられている。ガイドローラ６２は、カセット２０１から引き出された磁気テープ２０６を案内するものであり、マグネット６４は引き出されつつある磁気テープ２０６に接近して、その記録データを消去するためのものである。アーム６０は、スプリング６６によって、そのガイドローラ６２が、走行中の磁気テープ２０６の張力に対抗する揺動方向へと付勢されている。
【００３９】
カッター５４は、その基部が下部フロントパネル５７に対し固定され、その刃先部分が消去部５２のガイドローラ６２とマグネット６４との間に位置づけられている。前述のようにアーム６０がスプリング６６によって磁気テープ２０６の張力に抗しているときには、刃先は磁気テープ２０６に対して離反しているが、アーム６０が磁気テープ２０６の張力に負けて揺動すると、磁気テープ２０６に接触して、磁気テープ２０６を切断することができるようになっている。
【００４０】
巻取り部５６は、図９Ａ〜Ｂに示したように、磁気テープ２０６の巻取りを行なう巻取り・解除シャフト７０と、巻取り・解除シャフト７０に連結される連結シャフト７２と、その出力軸が連結シャフト７２に連結される巻取りモータ７４と、連結シャフト７２の内周側に配設されるロックピン７６と、巻取り・解除シャフト７０の外周側且つ後方側に配設されてロックピン７６にピン７７により結合される解除ホルダ７８と、ロックピン７６を連結シャフト７２内で後方へと付勢するスプリング７９と、を有している。
【００４１】
巻取り・解除シャフト７０は、半円弧状の２つの部材７０ａ、７０ａからなり、その２つの部材の間にはスリット７０ｂが形成されている。
【００４２】
ロックピン７６と解除ホルダ７８とは、連結シャフト７２及び巻取り・解除シャフト７０に対して軸方向にスライド可能となっている。ロックピン７６の先端は、常時は巻取り・解除シャフト７０の基部内に位置づけられており、スプリング７９の付勢力により、巻取り・解除シャフト７０の内径側から巻取り・解除シャフト７０の拡径を維持している。一方で、ロックピン７６が前進して、巻取り・解除シャフト７０の基部から脱出すると、巻取り・解除シャフト７０は縮径可能となる（図９Ｃ参照）。
【００４３】
次に、巻取りリール上下移動機構２６は、フロントパネル４０及び下部フロントパネル５７の直ぐ後方に位置づけられており、図１０Ａ〜図１０Ｃに示したように、上下移動用モータ８０と、上下移動用モータ８０の出力軸に連結されたウォーム８２と、ウォーム８２に噛み合うウォームホイール８４と、ウォームホイール８４と一体回転するクランクディスク８６と、クランクディスク８６に一端が軸着されたクランクロッド８８と、クランクロッド８８の他端が軸着され、前記巻取り部５６の巻取りモータ７４が取り付けられるモータブラケット９０と、モータブラケット９０が上下にスライド可能に案内される一対のレール９２，９２と、を主として有している。
【００４４】
上下移動用モータ８０の回転により、クランクディスク８６が回転して、クランクロッド８８を介してモータブラケット９０が上下動し、これにより、巻取り部５６が上下動するようになっている。そして、巻取り部５６がカセット２０１内の磁気テープ２０６をつかむ上部の位置と、カセット２０１から磁気テープ２０６を引き出して、巻取る下部の位置とに移動可能となっている。
【００４５】
次に、ホルダ前後移動機構２８は、図１１Ａ〜図１１Ｃに示したように、前後移動用モータ１００と、前後移動用モータ１００の出力軸に連結されたウォーム１０２と、ウォーム１０２に噛み合うウォームホイール１０４と、ウォームホイール１０４と一体回転するシャフト１０６と、シャフト１０６の上部に取り付けられたカムプレート１０８と、一端が固定部に軸着されてカムプレート１０８と関わり合うリンクアーム１１０と、リンクアーム１１０に一端が枢着された第２リンクアーム１１２と、第２リンクアーム１１２の他端に枢着されたジョイント１１４と、ジョイント１１４を後方へと付勢するスプリング１１５とを主として有している。ジョイント１１４は、前記カセットホルダ４８のレール５０に連結される。
【００４６】
前後移動用モータ１００の回転により、カムプレート１０８が回転して、リンクアーム１１０、第２リンクアーム１１２を介してジョイント１１４が前後に移動して、これにより、カセットホルダ４８が前後動するようになっている。
【００４７】
カムプレート１０８の周面に形成されたカム面は、カセットホルダ４８の、最も前進して処理済み磁気テープカセット２００を排出する位置（図２の４８Ａ）と、該排出する位置よりも若干、後退して未処理磁気テープカセット２００を受け取る位置（図２の４８Ｂ）と、さらに後退してテープの引き出し及び巻取りを行なう位置（図２の４８Ｃ）と、の３つの異なる前後位置に対応した形状となっている。但し、これらの３つの位置の少なくとも２つの位置は、共通にすることも可能であり、また相対的に周囲の部品が前後運動してもよい。
【００４８】
次に、巻取りリールリリース機構３０は、図１１Ａ〜図１１Ｃに示したように、ホルダ前後移動機構２８の前後移動用モータ１００と、前後移動用モータ１００の出力軸に連結されたウォーム１０２と、ウォーム１０２に噛み合うウォームホイール１０４と、ウォームホイール１０４と一体回転するシャフト１０６の部品を共有すると共に、シャフト１０６の下部に取り付けられたカムプレート１２８と、一端が固定部に軸着されてカムプレート１２８と関わり合うリンクアーム１３０と、リンクアーム１３０に一端が枢着された第２リンクアーム１３２と、第２リンクアーム１３２の他端に枢着されたジョイント１３４と、ジョイント１３４を後方へと付勢するスプリング１３５と、ジョイント１３４に連結されて、前記巻取りリール上下移動機構２６の一対のレール９２、９２の間に配置されるプッシュプレート１３６（図１０Ａ、図１０Ｂ参照）と、プッシュプレート１３６を前後動可能に案内するレール１３８（図１０Ａ、図１０Ｂ参照）と、を主として有している。プッシュプレート１３６は、図１０Ｂ示のように、その上部にＵ字形状をなした切欠１３６ａが形成されており、該切欠１３６ａに前記巻取り部５６が下降した時に、その解除ホルダ７８の溝７８ａ（図９Ａ，Ｂ参照）が嵌合するようになっている。
【００４９】
前後移動用モータ１００の回転により、カムプレート１２８が回転して、リンクアーム１３０、第２リンクアーム１３２を介してジョイント１３４が前後に移動して、これにより、プッシュプレート１３６が前後動し、解除ホルダ７８が追従して前後動する。
【００５０】
カムプレート１２８の周面に形成されたカム面は、解除ホルダ７８及びこれに連結されたロックピン７６を前進させた位置と、解除ホルダ７８及びこれに連結されたロックピン７６を後退させた位置と、の２つの異なる前後位置に対応した形状となっている。
【００５１】
さらに、プッシュプレート１３６には、下部フロントパネル５７よりも前方に位置づけられるフロントカバー１４０（図７参照）の基部が連結される。フロントカバー１４０は、巻取り部５６が巻取り中のときに、巻取り・解除シャフト７０の前方にあって、磁気テープ２０６の落下等を防ぐものである。フロントカバー１４０は、プッシュプレート１３６の前進により、一緒に前進する。
【００５２】
次に、プレ巻取り部３２は、図１２に示すように、プレ巻取りモータ１５０と、プレ巻取りモータ１５０の出力軸に連結された駆動ギヤ１５２と、該駆動ギヤ１５２と噛み合う従動ギヤ１５４と、従動ギヤ１５４に連結されたプレ巻取りシャフト１５６と、プレ巻取りシャフト１５６及び従動ギヤ１５４を支持するベースプレート１５８と、ベースプレート１５８に取り付けられたレール１６０と、レール１６０を前後方向に案内する固定のガイドベース１６２と、ベースプレート１５８を前方へと付勢するスプリング１６１と、該ベースプレート１５８に対して軸着されて、プレ巻取りモータ１５０を支持するアーム１６４と、アーム１６４とベースプレート１５８との間に設けられて、アーム１６４を付勢して駆動ギヤ１５２を従動ギヤ１５４に噛み合う方向へと付勢するスプリング１６６と、固定部に固定されて、アーム１６４に軸着されたローラ１６７と接触するカムプレート１６８と、を主として有している。
【００５３】
プレ巻取りシャフト１５６は、カセットホルダ部２２のシャフト４６と対になっており、これらのシャフト４６、１５６が、それぞれ磁気テープカセット２００の一対のリール２０４のうち対応するリール２０４内に進入して、嵌合する。
【００５４】
但し、ベースプレート１５８は、スプリング１６１によって前方へと付勢されているために、プレ巻取りシャフト１５６は、ホルダ前後移動機構２８によって磁気テープカセット２００が完全に後退するまでは、前方へと突出しており、磁気テープカセット２００がカセットホルダ４８に保持されて後退したときに、シャフト４６及び巻取り・解除シャフト７０よりも先に磁気テープカセット２００の対応するリール２０４内に進入する。そして、プレ巻取りモータ１５０が回転すると、駆動ギヤ１５２及び従動ギヤ１５４がプレ巻取りシャフト１５６にその回転を伝達するので、磁気テープカセット２００の弛みを巻取る。
【００５５】
その後、ホルダ前後移動機構２８によって磁気テープカセット２００が完全に後退すると、ベースプレート１５８は後方へと押圧され、このときに、アーム１６４のローラ１６７がカムプレート１６８の前後方向に対して傾斜する傾斜面１６８ａ（図１２（ａ）参照）によって誘導されるので、アーム１６４は揺動し、駆動ギヤ１５２と従動ギヤ１５４は、離反して噛み合いが外れるようになる。
【００５６】
このように、磁気テープカセット２００が後退してテープの引き出しを行なう位置にあるときには、駆動ギヤ１５２と従動ギヤ１５４との噛み合いは解除されており、よって、プレ巻取りシャフト１５６は自由に回動可能となる。
【００５７】
以上のように構成される磁気テープ分別装置１０の作用を説明する。
【００５８】
図１に示すパワーボタン，スイッチボタンが作動されると、マガジン部１２のコンベアが駆動され、該コンベアによって順次搬送されて最前位置にある磁気テープカセット２００が、メイン処理部１４のカセットホルダ部２２のカセットホルダ４８内へと落下する。このとき、カセットホルダ４８は、ホルダ前後移動機構２８により未処理磁気テープカセット２００を受け取る位置（図２の４８Ｂ）に位置づけられている。
【００５９】
カセットホルダ４８内に落下した磁気テープカセット２００は、カセットガイド４２、４２によってその底面が受け止められる。この状態で、カセットホルダ４８に取り付けられたリリースプレート４９が磁気テープカセット２００のストッパー２０８を押圧するので、磁気テープカセット２００のスライド蓋２０３は、開閉可能となる。
【００６０】
この状態から、ホルダ前後移動機構２８の作動により、カセットホルダ４８は後退していく。これに伴って、スライド蓋２０３は、カセットガイド４２によって開かれていく。
【００６１】
そして、ホルダ前進移動機構２８は、完全にカセットホルダ４８を後退させる前に一旦停止させる。このときに、プレ巻取り部３２のプレ巻取りモータ１５０により、プレ巻取りシャフト１５６が、磁気テープカセット２００の一つのリール２０４内に進入して回転するので、磁気テープ２０６の弛みが解消されて、カセット本体２０２の開口端にある磁気テープ２０６は直線状になる。
【００６２】
こうして、カセットホルダ４８に保持された磁気テープカセット２００が、そのスライド蓋２０３の開いた状態で後退していくと（図２の４８Ｃ）、巻取りリール上下移動機構２６により上部位置で待機中の巻取り・解除シャフト７０のスリット７０ｂ内に、磁気テープ２０６が挿入される（図１３（ａ））。
【００６３】
次いで、巻取りリール上下移動機構２６が作動して巻取り部５６を下降させていくので、磁気テープ２０６はカセット２０１から引き出されていく（図１３（ｂ））。
【００６４】
次いで、巻取り部５６は、その巻取りモータ７４の作動により、所定の方向に回転を開始する。これによって、カセット２０１内の２つのリール２０４、２０４のそれぞれに分配されて巻き取られていた磁気テープ２０６は、いずれも巻取り部５６の巻取り・解除シャフト７０に巻き取られていく。この巻き取り時に、磁気テープ２０６は、消去部５２の近傍を走行して、消去部５２のマグネット６４に接近するために、磁気テープ２０６に記録されたデータは消去されていく。
【００６５】
巻き取られていた磁気テープ２０６の巻取り量が初めに少なかった方のリール２０４において、磁気テープ２０６がすべて巻き解かれると、それ以上の磁気テープ２０６の引き出しが不可能となるため、磁気テープ２０６の張力が大きくなる。すると、消去部５２のアーム６０が揺動するので、カッター５４が磁気テープ２０６を切断する（図１３（ｃ））。一方のリール２０４の磁気テープ２０６の巻き取りが終了した後は、他方のリール２０４の磁気テープ２０６のみが巻取り・解除シャフト７０に巻き取られる。そして、そのリール２０４から磁気テープ２０６がすべて巻き解かれると、同様に、磁気テープ２０６の巻取りが切断される（図１３（ｄ））。
【００６６】
この時点で、磁気テープカセット２００のカセット２０１と、磁気テープ２０６とは完全に分離される。
【００６７】
両方のリール２０４の磁気テープ２０６がなくなったことがセンサにより検出されると、ホルダ前後移動機構２８が、カセットホルダ部２２のカセットホルダ４８を最も前進させてカセットガイド４２、４２よりもカセット２０１をさらに前進させると（図２の４８Ａ）、カセット２０１は、カセットホルダ４８から落下して、シュート２０，２０から排出される。同時に、巻取りリールリリース機構３０が、プッシュプレート１３６を前進させるので、ロックピン７６が前進して、巻取り・解除シャフト７０の拡径状態を解除し、且つ、解除ホルダ７８が前進して巻取り・解除シャフト７０に巻き取られた磁気テープ２０６を前方へと押し出し、さらに、フロントカバー１４０も前方へと退避するので、磁気テープ２０６は、巻取り・解除シャフト７０から落下して排出される。
【００６８】
そして、巻取りリール上下移動機構２６により、巻取り部５６を上昇させて、同時に、巻取りモータ７４が巻取り部５６を回転させて、巻取り・解除シャフト７０のスリット７０ｂを水平になるようにして、次の磁気テープカセット２００の磁気テープを待機する状態へと戻る。
【００６９】
また、ホルダ前後移動機構２８がカセットホルダ４８を、未処理磁気テープカセット２００を受け取る位置（図２の４８Ｂ）へと移動させる。
【００７０】
以上の手順を繰り返すことにより、順次、マガジン部１２に溜められた複数の磁気テープカセット２００の分別及び記録消去処理を行なっていくことができる。
【００７１】
尚、以上の実施形態では、カセット２０１内のリール２０４の磁気テープ２０６がすべて巻き解かれると、消去部５２が揺動して、カッター５４が磁気テープ２０６を切断するようになっていたが、これに限るものではなく、カセット２０１内のリール２０４への磁気テープ２０６の連結が、所定以上の張力により解除されるようになっている場合には、消去部５２が揺動せずに、巻取り部５６による巻取り力によって、磁気テープ２０６とリール２０４との連結を解除させた方が、磁気テープ２０６を完全にカセット２０１と分離できるので、好ましい。このような磁気テープカセットの処理を行なう場合には、消去部５２が揺動しないように、切断阻止切替機構１７０を設けるとよい。
【００７２】
切断阻止切替機構１７０は、図１４に示したように、ソレノイド１７２と、フロントパネル４０にピン１７３によって軸着されるストッパーアーム１７４と、ストッパーアーム１７４の回転方向を付勢するスプリング１７６と、を主として有している。ソレノイド１７２の励磁を解除すると、スプリング１７６の付勢力によって、ストッパーアーム１７４が回転してその先端のストッパー部１７４ａが消去部５２のアーム６０に係止し、他方、ソレノイド１７２を励磁すると係止が解除される。ストッパー部１７４ａが消去部５２のアーム６０に係止すると、アーム６０が揺動不能となるので、前述のような、カッター５４による磁気テープ２０６の切断は行なわれない。上述のようにカッター５４を使用しないで磁気テープ２０６とカセット２０１を分離するとき及び電源がオフになったときには、切断阻止切替機構１７０によってカッター５４の使用を不可とすることができる。
【００７３】
以上のように、本実施形態によれば、磁気テープカセット２００を順次処理して、カセットと磁気テープに分離することができるので、それぞれをリサイクルするか、または廃棄することができる。
【００７４】
磁気テープカセット２００の一対のリール２０４、２０４に磁気テープ２０６がどのように分配されて処理されようとも関係なく、両方のリール２０４、２０４から磁気テープ２０６を引き出して、巻き取ることができる。
【００７５】
また、両方のリール２０４、２０４から同時に磁気テープ２０６を引き出して処理するために、迅速に処理を行なうことができる。
【００７６】
引き出す際に、磁気テープ２０６のデータが消去されるために、消去のための処理も迅速に行なうことができる。
【００７７】
また、磁気テープ２０６は、巻取り部５６に巻き取られるために、コンパクトな形で次の処理を行ないやすい形態で、分別することができる。
【図面の簡単な説明】
【００７８】
【図１】本発明の実施形態による磁気テープ分別装置の全体正面図である。
【図２】本発明の実施形態による磁気テープ分別装置の全体側面図である。
【図３】本発明の実施形態による磁気テープ分別装置のメイン処理部を主として表す平面図である。
【図４】本発明の実施形態による磁気テープ分別装置のメイン処理部を主として表す側面図である。
【図５】本発明の実施形態によるカセットホルダ部を表す図であり、（ａ）は平面図、（ｂ）は正面図、（ｃ）は側面図である。
【図６】本発明の実施形態によるカセットホルダを表す図であり、（ａ）は平面図、（ｂ）は正面図、（ｃ）は側面図である。
【図７Ａ】本発明の実施形態によるテープ処理部の平面図である。
【図７Ｂ】本発明の実施形態によるテープ処理部の正面図である。
【図７Ｃ】本発明の実施形態によるテープ処理部の側面図である。
【図８】本発明の実施形態による消去部を表す図であり、（ａ）は正面図、（ｂ）は部分断面平面図である。
【図９Ａ】本発明の実施形態による巻取り部の部分断面を含む平面図である。
【図９Ｂ】本発明の実施形態による巻取り部の部分断面を含む平面図である。
【図９Ｃ】本発明の実施形態による巻取り部の一部を示す断面図である。
【図１０Ａ】本発明の実施形態による巻取りリール上下移動機構の平面図である。
【図１０Ｂ】本発明の実施形態による巻取りリール上下移動機構の正面図である。
【図１０Ｃ】本発明の実施形態による巻取りリール上下移動機構の側面（部分断面を含む）図である。
【図１１Ａ】本発明の実施形態によるホルダ前後移動機構及び巻取りリールリリース機構の平面図である。
【図１１Ｂ】本発明の実施形態によるホルダ前後移動機構及び巻取りリールリリース機構の正面図である。
【図１１Ｃ】本発明の実施形態によるホルダ前後移動機構及び巻取りリールリリース機構の側面図である。
【図１２】本発明の実施形態によるプレ巻き取り部を表す図であり、（ａ）はその正面図、（ｂ）は平面図、（ｃ）は側面（部分断面を含む）図である。
【図１３】本発明の実施形態の作用を説明するための主要部の図である。
【図１４】本発明の実施形態による切断阻止切替機構を表す正面図である。
【図１５】処理する磁気テープカセットの斜視図であり、（ａ）はスライド蓋が閉じた状態、（ｂ）はスライド蓋が開いた状態を示す。
【符号の説明】
【００７９】
１０  磁気テープ分別装置
２２  カセットホルダ部
２６  巻取りリール上下移動機構
２８  ホルダ前後移動機構
３０  巻取りリールリリース機構
３２  プレ巻取り部
４８  カセットホルダ
５２  消去部
５４  カッター
５６  巻取り部
７０  巻取り・解除シャフト
７６  ロックピン
７８  解除ホルダ
１５０  プレ巻取りモータ
１５２  駆動ギヤ
１５４  従動ギヤ
１５６  プレ巻取りシャフト
１７０  切断阻止切替機構
２００  磁気テープカセット
２０１  カセット
２０６  磁気テープ
【図１】
2006068707.tif 000003
【図２】
2006068707.tif 000004
【図３】
2006068707.tif 000005
【図４】
2006068707.tif 000006
【図５】
2006068707.tif 000007
【図６】
2006068707.tif 000008
【図７Ａ】
2006068707.tif 000009
【図７Ｂ】
2006068707.tif 000010
【図７Ｃ】
2006068707.tif 000011
【図８】
2006068707.tif 000012
【図９Ａ】
2006068707.tif 000013
【図９Ｂ】
2006068707.tif 000014
【図９Ｃ】
2006068707.tif 000015
【図１０Ａ】
2006068707.tif 000016
【図１０Ｂ】
2006068707.tif 000017
【図１０Ｃ】
2006068707.tif 000018
【図１１Ａ】
2006068707.tif 000019
【図１１Ｂ】
2006068707.tif 000020
【図１１Ｃ】
2006068707.tif 000021
【図１２】
2006068707.tif 000022
【図１３】
2006068707.tif 000023
【図１４】
2006068707.tif 000024
【図１５】
2006068707.tif 000025